(57)【特許請求の範囲】
【請求項１】
評価対象を評価する項目である評価項目を表す評価項目ラベルのデータ入力を受け付ける評価項目入力部と、
前記評価項目入力部によって入力される評価項目ラベルが示す評価項目に対し、好印象を表すポジティブと悪印象を表すネガティブとのいずれか一方を表す評価値のデータ入力を受け付ける評価値入力部と、
前記評価項目入力部から入力された評価項目ラベルと前記評価値入力部から入力された評価値と対応づけて記憶する記憶部と、
前記記憶部を参照し、前記評価値の合計値を前記評価項目ラベル毎に算出する集計部と、
前記集計部の算出結果を基に合計値を前記評価項目ラベル毎に、当該評価項目ラベルとともに表示する表示データを出力する出力部と、
前記評価項目に対するコメントのデータ入力を受け付けるコメントデータ入力部を有し、
前記集計部は、前記評価項目ラベル毎であって、かつ、前記コメントデータ入力部から入力されたコメントデータ毎に評価値の合計値を算出し、
前記出力部は、前記評価項目ラベル毎であって、かつ、前記コメントデータ入力部から入力されたコメントデータ毎の評価値を基に、前記コメントデータとともに出力する
ことを特徴とする評価結果出力装置。
【請求項２】
前記出力部は、前記評価項目に応じた評価項目ラベルの前記評価項目ボックスに、前記コメントデータ入力部から入力されたコメントデータを表示する
ことを特徴とする請求項１記載の評価結果出力装置。
【請求項３】
前記出力部は、前記評価項目ラベルを表示するとともに当該評価項目ラベルに対応する評価項目ボックスを前記合計値に応じた位置に従って表示する
ことを特徴とする請求項１または請求項２記載の評価結果出力装置。
【請求項４】
前記評価項目入力部は、予め記憶された選択肢から選択する指示の入力を受け付ける、または、テキストデータの入力を受け付ける
ことを特徴とする請求項１から請求項３のうちいずれか１項に記載の評価結果出力装置。
【請求項５】
前記集計部は、前記評価対象が複数ある場合に、前記評価対象に属する評価項目の評価値の合計値を前記評価対象毎に算出し、
前記出力部は、前記集計部によって算出された評価値を前記評価対象毎に表示させる表示データを出力する
ことを特徴とする請求項１から請求項４のうちいずれか１項に記載の評価結果出力装置。
【請求項６】
前記出力部によって出力され表示装置に表示された項目のいずれかを選択する指示の入力を受け付ける指示部と、
前記出力部は、表示装置に表示された評価対象が前記指示部によって指示された場合に、当該指示された評価対象に属する前記評価項目ラベル毎に、前記集計部によって算出された合計値を、当該評価項目ラベルとともに表示する表示データを出力する
ことを特徴とする請求項１記載の評価結果出力装置。
【請求項７】
前記評価値入力部は、前記評価項目入力部によって入力される評価項目ラベルが示す評価項目に対し、ポジティブとネガティブとの他に当該ポジティブと当該ネガティブとの間の印象を表すニュートラルを表す評価値のデータ入力を受け付け、
前記集計部は、前記評価値入力部から入力されたポジティブ、ネガティブ、ニュートラルのそれぞれの個数を基に評価値の合計値を算出する
ことを特徴とする請求項１または請求項２に記載の評価結果出力装置。
【請求項８】
コンピュータに実行させる評価結果出力方法であって、
評価対象を評価する項目である評価項目を表す評価項目ラベルのデータ入力を受け付ける評価項目入力工程、
前記評価項目入力工程によって入力される評価項目ラベルが示す評価項目に対し、好印象を表すポジティブと悪印象を表すネガティブとのいずれか一方を表す評価値のデータ入力を受け付ける評価値入力工程、
前記評価項目入力工程によって入力された評価項目ラベルと前記評価値入力部から入力された評価値と対応づけて記憶部に記憶する記憶工程、
前記記憶部を参照し、前記評価値の合計値を前記評価項目ラベル毎に算出する集計工程、
前記集計工程の算出結果を基に合計値を前記評価項目ラベル毎に、当該評価項目ラベルとともに表示する表示データを出力する出力工程、
前記評価項目に対するコメントのデータ入力を受け付けるコメントデータ入力工程を有し、
前記集計工程は、前記評価項目ラベル毎であって、かつ、前記コメントデータ入力工程において入力されたコメントデータ毎に評価値の合計値を算出し、
前記出力工程は、前記評価項目ラベル毎であって、かつ、前記コメントデータ入力工程において入力されたコメントデータ毎の評価値を基に、前記コメントデータとともに出力する
ことを特徴とする評価結果出力方法。
【請求項９】
コンピュータに、
評価対象を評価する項目である評価項目を表す評価項目ラベルのデータ入力を受け付ける評価項目入力手段、
前記評価項目入力過程によって入力される評価項目ラベルが示す評価項目に対し、好印象を表すポジティブと悪印象を表すネガティブとのいずれか一方を表す評価値のデータ入力を受け付ける評価値入力手段、
前記評価項目入力過程によって入力された評価項目ラベルと前記評価値入力部から入力された評価値と対応づけて記憶部に記憶する記憶手段、
前記記憶部を参照し、前記評価値の合計値を前記評価項目ラベル毎に算出する集計手段、
前記集計過程の算出結果を基に合計値を前記評価項目ラベル毎に、当該評価項目ラベルとともに表示する表示データを出力する出力手段、
前記評価項目に対するコメントのデータ入力を受け付けるコメントデータ入力手段、
として機能させるとともに、
前記評価項目ラベル毎であって、かつ、前記コメントデータ入力手段から入力されたコメントデータ毎に評価値の合計値を算出する手段、
前記評価項目ラベル毎であって、かつ、前記コメントデータ入力手段から入力されたコメントデータ毎の評価値を基に、前記コメントデータとともに出力する手段
として機能させるプログラム。
【発明の詳細な説明】
【技術分野】
【０００１】
本発明は、評価対象を評価した結果を集計して表示する評価結果出力装置、評価結果出力方法、プログラムに関する。
【背景技術】
【０００２】
従来から、例えば、旅行に行った際に宿泊したホテルや、読んだ書籍等を評価対象とし、アンケート等を行って評価者の評価結果を集計することが行われている。この評価結果としては、例えば、掲示板やレビュー方式のように、評価者が評価コメントによって評価を行うコメント方式の評価方法や、評価結果を数値によって評価する数値評価方法がある。また、各種評価を行う一例として、商品の評価を行うシステムが開示されている（特許文献１）。
【特許文献１】特開２００２−０９２２９６号公報
【発明の開示】
【発明が解決しようとする課題】
【０００３】
しかしながら、コメント方式の評価方法では、閲覧者にとって、コメント内容（文章）を読まなければならず、また、すぐに複数の情報を比較しようとする場合に、何に対してのコメントであるのかを把握して比較しなければならず、不便であるという問題がある。
一方、評価者にとっては、自分の評価の結果を文章で書くとすると、記述の自由度が高すぎるため、書き込みの敷居を上げる原因となったり、場合によっては評価内容を表現できる文章を構築できず、評価者の考えを必ずしも多くは吸い上げられないという問題がある。
【０００４】
他方、上述した特許文献１における数値評価方法では、アンケート方式のような、予め準備された固定の評価項目への５段階評価、あるいは総合５段階評価等の形式にそって行うことができる。しかし、閲覧者にとって比較をし易いが、評価者がどういった考えを持ってその評価を行ったのかのニュアンスが分からないという問題がある。また、これら評価結果の平均値を算出して評価値とする場合は、平均値が同じであっても、その中間の評価を与えている人が複数いる場合もあれば、高い評価と低い評価の意見が割れている場合もあり、その評価結果の分布を把握することができないという問題がある。
一方、評価者にとっては、対象への評価項目が固定されているため、特に何も思っていない項目についても、何らかの評価結果を記述しなければならならず、煩わしさを覚える場合もある。また、印象に強く残ったことに関する評価項目に対して簡単に評価できるが、そうでない評価項目については評価に迷ったり、評価が曖昧になってしまう場合がある。
【０００５】
本発明は、このような事情に鑑みてなされたもので、評価結果を入力する者が簡単に評価結果を入力でき、把握しやすい評価結果を提示することが可能な評価結果出力装置、評価結果出力方法、プログラムを提供することを目的とする。
【課題を解決するための手段】
【０００６】
上述した課題を解決するために、本発明は、評価対象を評価する項目である評価項目を表す評価項目ラベルのデータ入力を受け付ける評価項目入力部と、前記評価項目入力部によって入力される評価項目ラベルが示す評価項目に対し、好印象を表すポジティブと悪印象を表すネガティブとのいずれか一方を表す評価値のデータ入力を受け付ける評価値入力部と、前記評価項目入力部から入力された評価項目ラベルと前記評価値入力部から入力された評価値と対応づけて記憶する記憶部と、前記記憶部を参照し、前記評価値の合計値を前記評価項目ラベル毎に算出する集計部と、前記集計部の算出結果を基に合計値を前記評価項目ラベル毎に、当該評価項目ラベルとともに表示する表示データを出力する出力部と、を有することを特徴とする。
【０００７】
また、本発明は、上述の評価結果出力装置において、前記出力部は、前記評価項目ラベルを表示するとともに当該評価項目ラベルに対応する評価項目ボックスを前記合計値に応じた位置に従って表示することを特徴とする。
また、本発明は、上述の評価結果出力装置において、前記評価項目入力部は、予め記憶された選択肢から選択する指示の入力を受け付ける、または、テキストデータの入力を受け付けることを特徴とする。
また、本発明は、上述の評価結果出力装置において、前記評価項目に対するコメントのデータ入力を受け付けるコメントデータ入力部を有し、前記集計部は、前記評価項目ラベル毎であって、かつ、前記コメントデータ入力部から入力されたコメントデータ毎に評価値の合計値を算出し、前記出力部は、前記評価項目ラベル毎であって、かつ、前記コメントデータ入力部から入力されたコメントデータ毎の評価値を基に、前記コメントデータとともに出力することを特徴とする。
【０００８】
また、本発明は、上述の評価結果出力装置において、前記出力部は、前記評価項目に応じた評価項目ラベルの前記評価項目ボックスに、前記コメントデータ入力部から入力されたコメントデータを表示することを特徴とする。
また、本発明は、上述の評価結果出力装置において、前記集計部は、前記評価対象が複数ある場合に、前記評価対象に属する評価項目の評価値の合計値を前記評価対象毎に算出し、前記出力部は、前記集計部によって算出された評価値を前記評価対象毎に表示させる表示データを出力することを特徴とする。
また、本発明は、上述の評価結果出力装置において、前記出力部によって出力され表示装置に表示された項目のいずれかを選択する指示の入力を受け付ける指示部と、前記出力部は、表示装置に表示された評価対象が前記指示部によって指示された場合に、当該指示された評価対象に属する前記評価項目ラベル毎に、前記集計部によって算出された合計値を、当該評価項目ラベルとともに表示する表示データを出力することを特徴とする。
【０００９】
また、本発明は、上述の評価結果出力装置において、前記評価値入力部は、前記評価項目入力部によって入力される評価項目ラベルが示す評価項目に対し、ポジティブとネガティブとの他に当該ポジティブと当該ネガティブとの間の印象を表すニュートラルを表す評価値のデータ入力を受け付け、前記集計部は、前記評価値入力部から入力されたポジティブ、ネガティブ、ニュートラルのそれぞれの個数を基に評価値の合計値を算出することを特徴とする。
【００１０】
また、本発明は、コンピュータに実行させる評価結果出力方法であって、評価対象を評価する項目である評価項目を表す評価項目ラベルのデータ入力を受け付ける評価項目入力工程、前記評価項目入力工程によって入力される評価項目ラベルが示す評価項目に対し、好印象を表すポジティブと悪印象を表すネガティブとのいずれか一方を表す評価値のデータ入力を受け付ける評価値入力工程、前記評価項目入力工程によって入力された評価項目ラベルと前記評価値入力部から入力された評価値と対応づけて記憶部に記憶する記憶工程、
前記記憶部を参照し、前記評価値の合計値を前記評価項目ラベル毎に算出する集計工程、
前記集計工程の算出結果を基に合計値を前記評価項目ラベル毎に、当該評価項目ラベルとともに表示する表示データを出力する出力工程、を有することを特徴とする。
【００１１】
また、本発明は、コンピュータに、評価対象を評価する項目である評価項目を表す評価項目ラベルのデータ入力を受け付ける評価項目入力手段、前記評価項目入力過程によって入力される評価項目ラベルが示す評価項目に対し、好印象を表すポジティブと悪印象を表すネガティブとのいずれか一方を表す評価値のデータ入力を受け付ける評価値入力手段、前記評価項目入力過程によって入力された評価項目ラベルと前記評価値入力部から入力された評価値と対応づけて記憶部に記憶する記憶手段、前記記憶部を参照し、前記評価値の合計値を前記評価項目ラベル毎に算出する集計手段、前記集計過程の算出結果を基に合計値を前記評価項目ラベル毎に、当該評価項目ラベルとともに表示する表示データを出力する出力手段、として機能させるプログラムである。
【発明の効果】
【００１２】
以上説明したように、本発明によれば、評価項目に対し、好印象を表すポジティブと悪印象を表すネガティブとのいずれか一方を表す評価値のデータ入力を受け付け、この評価値を評価項目毎に集計して出力するようにしたので、評価者にとって、簡単に評価を入力することができるとともに、評価を集計した集計結果を参照する者にとって、簡単に評価が良かったのか、悪かったのかが把握しやすくなる。
【発明を実施するための最良の形態】
【００１３】
以下、本発明の一実施形態による評価結果出力装置を適用した評価結果出力システムについて図面を参照して説明する。
図１は、この発明の一実施形態による評価結果出力システム１の構成を示す概略ブロック図である。この図において、評価結果出力装置１０は、複数の端末装置２０にネットワーク３０を介して接続される。この評価結果出力システムは、例えば、評価サイト、あるいは商品紹介サイトやＳＮＳ（Ｓｏｃｉａｌ  Ｎｅｔｗｏｒｋｉｎｇ  Ｓｅｒｖｉｃｅ）サイトのレビューなどの商品評価機能に適用することが可能であり、ユーザに評価対象に対する評価を行ってもらい、その評価結果を集計し、他のユーザに閲覧させるものである。
端末装置２０は、マウスやキーボードを介してユーザから入力される評価した結果を表すデータを評価結果出力装置１０に送信する。
【００１４】
評価結果出力装置１０は、各端末装置２０から送信された評価結果のデータを受信して評価結果として記憶装置内に格納する。評価結果出力装置１０において、通信部１１は、端末装置２０から送信される評価結果のデータや集計結果の送信要求を受信する機能と、端末装置２０に集計結果を表示させる表示データ（出力データ）を送信する。
評価項目入力部１２は、評価対象を評価する項目である評価項目を表す評価項目ラベルのデータ入力を通信部１１を介して端末装置２０から受信する。また、この評価項目入力部１２は、予め記憶された選択肢から選択する指示の入力を受け付けたり、または、テキストデータの入力を受け付ける。
【００１５】
評価値入力部１３は、評価項目入力部１２によって入力される評価項目ラベルが示す評価項目に対し、好印象を表すポジティブと悪印象を表すネガティブとのいずれかを表す評価値のデータ入力を通信部１１を介して端末装置２０から受信する。
コメントデータ入力部１４は、評価項目に対するコメントのデータ入力を通信部１１を介して端末装置２０から受信する。
指示部１５は、出力部１６によって出力され端末装置２０の表示画面に表示された項目のいずれかを端末装置２０のキーボードやマウス等の入力装置から入力される選択の指示の入力を通信部１１を介して受信する。
【００１６】
記憶部１６は、評価項目入力部１２から入力された評価項目ラベルと、評価値入力部１３から入力された評価値と、コメントデータ入力部１４から入力されたコメントデータを含む評価情報を記憶する。
集計部１７は、記憶部１７を参照し、評価値の合計値を評価項目ラベル毎に算出する。また、集計部は、評価項目ラベル毎であって、かつ、コメントデータ入力部１４から入力されたコメントデータ毎に評価値の合計値を算出したり、評価対象が複数ある場合に、評価対象に属する評価項目の評価値の合計値を評価対象毎に算出したりする機能を有する。
出力部１８は、集計部１７の算出結果を基に合計値を評価項目ラベル毎に、当該評価項目ラベルとともに表示する表示データを通信部１１を介して端末装置２０に送信したり、評価項目ラベル毎であって、かつ、コメントデータ入力部１４から入力されたコメントデータ毎の評価値を基に、コメントデータとともに出力する。
また、出力部１８は、集計部１７によって算出された評価値を評価対象毎に表示させる表示データを出力したり、端末装置２０の表示装置に表示された評価対象が指示部１５によって指示されたことを検出した場合に、当該指示された評価対象に属する評価項目ラベル毎に、集計部１７によって算出された合計値を、当該評価項目ラベルとともに表示する表示データを通信部１１を介して端末装置２０に出力する。
【００１７】
図２は、端末装置２０の表示画面に表示される評価結果を入力する入力画面の一例を示す図である。この入力画面は、例えば、インターネット上の評価サイトにおける評価結果であるデータをマウスやキーボード等の入力装置から入力する際に表示される。この図において、評価サイトのタイトル（符号ａ）が表示される他に、評価する対象を識別する評価対象の名称（符号ｂ）が表示される。この図では、一例として、宿泊施設を評価するサイトである場合に、その評価対象の宿泊施設の名称として旅館Ａが表示される。この名称の他に、必要に応じて、住所や連絡先である電話番号、旅館Ａの外観写真（符号ｃ）等も表示される。
【００１８】
また、この入力画面においては、評価項目（符号ｄ）、評価値（符号ｅ）、コメント（符号ｆ）を入力する入力欄が設けられている。
ここでは、評価対象について「どこ」が「どういう評価」であるのかを入力することが可能である。
評価項目は、評価対象を評価する項目である評価項目を表す評価項目ラベルであり、例えば、旅館やホテル等の宿泊施設の評価として、「料金」や「部屋」、「食事」、「風呂」、「サービス」等の評価項目の名称が評価項目ラベルとして入力される。この入力はテキストで入力してもよく、プルダウンメニューによって予め設定されている評価項目ラベルから選択してもよい。この評価項目が「どこ」に対応する。
評価値は、評価項目入力部１２によって入力される評価項目ラベルが示す評価項目に対し、好印象を表すポジティブ（ｐｏｓｉｔｉｖｅ）と、悪印象を表すネガティブ（ｎｅｇａｔｉｖｅ）と、ポジティブとネガティブとの間の印象（例えば、何も感じない）を表すニュートラル（ｎｅｕｔｒａｌ）とのうちいずれかを表す値が入力される。この評価項目と評価値とを組み合わせることにより、「どこ」が「どういう評価」であるのかを把握できる。
コメントは、評価者自身がフリーワードを入力することが可能であり、これは入力装置から入力される。なお、このコメントについても、プルダウンメニューによって予め設定された選択肢の中から選択するようにしてもよい。
また、各項目に入力された評価結果を評価結果出力装置１０に送信する送信ボタンが設けられる（符号ｇ）。この送信ボタンがクリックされることにより、「評価項目」、「評価値」、「コメント」の各入力欄に入力された情報が評価結果出力装置１０に送信される。
【００１９】
図３は、記憶部１６に記憶される評価情報の一例を示す図である。この図に示すように、評価情報は、評価項目ラベルと評価値とが、これらの評価を行ったユーザ毎に記憶される。ここでは図示されていないが、コメントデータが入力された場合には、コメントデータも評価項目に対応づけてユーザ毎に記憶される。
ここでは、評価値として‘ｐｏｓｉｔｉｖｅ’、‘ｎｅｇａｔｉｖｅ’、‘ｎｅｕｔｒａｌ’のいずれかが記憶される。
【００２０】
図４は、記憶部１６に記憶される評価情報の他の一例を示す図である。この図においては、‘ｐｏｓｉｔｉｖｅ’、‘ｎｅｇａｔｉｖｅ’、‘ｎｅｕｔｒａｌ’のように文字列によって表された評価値が、数値として表されて記憶される。すなわち、‘ｐｏｓｉｔｉｖｅ’は‘＋１’、‘ｎｅｇａｔｉｖｅ’は‘−１’、‘ｎｅｕｔｒａｌ’は‘０’として数値が記憶される。ここでは、ユーザから評価結果を受信した際に、文字列の評価値を数値の評価値に変換して記憶部１６に記憶する。この文字列の評価値を数値の評価値に変換する処理は、評価値入力部１３が行うようにしてもよいし、集計部１７が集計を行う際に、記憶部１６に記憶された文字列の評価値を数値の評価値に変換してから集計を行うようにしてもよい。
【００２１】
図５は、出力部１８によって出力される表示画面の一例を示す図面である。この図において、評価対象ボックスａは、評価対象毎（例えば、旅館Ａ、ホテルＢなど）に設けられ、上下横割りの線を中心軸ｂとする横長の矩形形状（ここでは、角が丸みを帯びた四角形）によって表される。
【００２２】
評価項目ボックスｃは、評価対象ボックス内に１つ以上設けられ、上下横割りの線を中心軸ｄとし、評価対象ボックスａの縦幅の１／２以下のサイズの縦長の矩形形状（ここでは、角が丸みを帯びた四角形）によって表示される。この評価ボックスｃ内の中央には、必要に応じて、評価項目ラベルｅが表示される。この評価項目ラベルｅについては、入力装置を介して入力されるユーザからの指示に従い、表示または非表示が選択可能である。
また、評価項目ボックスｃは、評価項目ラベルｅの数に応じて表示される。この場合、評価項目ラベルｅが非表示として指示された場合であっても、評価項目ラベルｅがデータとして存在する場合は、評価項目ボックスｃが表示される。
【００２３】
また、評価項目ボックスｃは、この評価項目値の高い順に配列されるものであり、この図においては、一例として、評価項目値が高いものが左、評価項目が低いものが右になるように順に配置される。この評価項目値とは、ある評価項目における各評価コメントの「評価コメント値」の総和（各評価項目に評価を行った評価者の人数）である。
また、評価項目ボックスｃは、評価項目属性値に応じて、評価対象ボックスａ内において、垂直方向に対して上下させて配置される。ここでは、評価項目属性値がプラス（ポジティブ）の場合は上方に、評価項目属性値がマイナス（ネガティブ）の場合は下方に配置される。この上下の位置は、評価項目属性値が大きいほど、中心線からの距離が大きくなる。
ここで、評価項目属性値は、評価コメント属性値の総和である。この評価コメント属性値とは、評価コメント値と評価属性の積である。この評価コメント値は、上述のように、各評価項目に評価を行った評価者の人数であり、評価属性とは、‘ｐｏｓｉｔｉｖｅ’（＋１）、‘ｎｅａｕｔｒａｌ’（０）、‘ｎｅｇａｔｉｖｅ’（−１）、等の評価した結果が良かったのか、悪かったのか、あるいはその間であったのかを示す属性である。評価対象値は、評価コメント値と評価属性の総和の積である。
【００２４】
また、表示画面上には、色による属性の表現や、大きさによる程度の表現とコメントラベルによる評価のニュアンスの表現をすることも可能である。
例えば、評価コメントラベルｆは、コメントデータとして入力された評価コメントの文字情報が、コメントデータとして入力された評価項目の評価項目ボックスｃ内に表示される。評価コメント楕円ｇは、評価コメント値に応じた大きさの楕円で表され、評価コメントラベルｆの中心位置と同じ中心位置に配置される。
このような、図５に示す表示画面については、集計部１７が集計した集計結果に基づいて、出力部１８が出力データとして生成して外部に出力することにより、表示装置等に表示される。
【００２５】
図６は、記憶部１６に記憶された評価情報を基に、集計部１７が集計を行った場合について説明する図面である。この図に示すように、集計部１７は、ユーザによって付与された評価値を評価項目毎に総和を演算する。ここでは、一例として、評価項目「料金」については、「＋３」が総和として演算されている。
【００２６】
図７は、図６の集計結果が画面上に出力された場合の一例を示す図面である。この図に示すように、評価項目毎に評価項目ボックスｃが設けられ、その評価項目ボックスｃ内に評価項目ラベルｅが表示されており、評価項目の総和に応じて、評価項目ボックスｃが評価対象ボックスａの垂直方向の上下の方向に移動して表示される。ここでは、「料金」の総和が「＋３」であったので、「料金」の評価対象ボックスａは、上方（ｐｏｓｉｔｉｖｅ側）に「＋３」に応じた高さに配置される。以下同様に、評価値の総和に応じて、上方または下方（ｐｏｓｉｔｉｖｅ側）に配置される。なお、評価値の総和（符号ｋ）については、実際に表示されなくてもよい。
【００２７】
図８は、１つの評価対象について総合評価を算出する場合について説明する図面である。この図に示すように、集計部１７は、評価項目毎の評価値の総和を算出した後、この評価項目毎の評価値の総和をさらに総和して総合評価値を算出する。出力部１８は、この総合評価値を基に、画面上に表示する。ここでは、評価対象の名称が評価対象ラベルとして評価項目ボックスｎ内に表示され、この評価項目ボックスｎが、総合評価の結果として評価対象ボックスｐ内に配置される。
【００２８】
図９は、図８に示した評価対象の総合評価値を基に、複数の評価対象が評価対象ボックスｐ内に表示された場合の一例を示す図である。この表示は、出力部１８が、集計部１７によって集計された評価対象毎の総合評価値を基に行う。
このように、総合評価の集計結果に応じて表示することにより、複数の評価対象を比較することが可能となる。ここでは、総合評価が高いものが上方（ｐｏｓｉｔｉｖｅ側）に配置され、総合評価が低いものが下方（ｎｅｇａｔｉｖｅ側）に配置されるので、その表示された位置を比較することによって、それぞれの評価対象の評価結果を比較して把握することが可能である。
【００２９】
図１０は、図９に示す評価項目ボックスの詳細な情報が表示された場合の一例を示す図面である。この図において、評価項目ボックスが、マウス等の入力装置を介してユーザによってクリックされると、そのクリックされた評価項目ボックスの詳細がポップアップによって表示される。ここでは、総合評価値を算出した際の評価情報を基に、評価項目毎に評価項目ボックスが配置され表示される。この表示される情報としては、例えば、図５や図７のような情報と同様である。
【００３０】
図１１は、評価項目について、評価対象を比較して表示した場合における表示画面の一例の図である。この図に示すように、出力部１８は、ある評価項目（例えば、部屋や食事など）について、評価対象毎（例えば、ホテルＡ、旅館Ｂ、など）に評価項目ボックスを表示をさせることも可能である。
これにより、特定の評価項目の評価値について、評価対象を比較することが可能となる。
【００３１】
次に、図１の構成における評価結果出力装置の動作について図１２のフローチャートを用いて説明する。
端末装置２０から評価結果出力装置１０にアクセスがあると、通信部１１を介して出力部１８から評価結果入力の画面データが端末装置２０に送信される。端末装置２０において、評価結果入力画面において評価結果が入力され、評価結果が送信されると、通信部１１は、その評価結果を受信する（ステップＳ１１）。通信部１１が評価結果を受信すると、評価項目入力部１２は、評価結果のうち評価項目を記憶部１６に記憶し、評価値入力部１３は、評価結果のうち評価項目に対する評価値を評価項目に対応づけて記憶部１６に記憶し、コメントデータ入力部１４は、評価結果のうちコメントデータを評価項目に対応づけて記憶部１６に記憶する。
【００３２】
評価結果が記憶部１６に記憶されると、集計部１７は、評価項目毎の総和を算出する（ステップＳ１２）。ここでは、評価項目のそれぞれについて、その評価項目に対して評価を行った各ユーザの評価値の総和を算出する。さらに、集計部１７は、評価対象毎の総合評価値を算出する（ステップＳ１３）。総合評価値が算出されると、出力部１８は、評価対象の評価項目毎の評価値を端末装置２０に通信部１１を介して送信する（ステップＳ１４）。これにより、端末装置２０の表示装置に評価対象の評価項目毎の評価値が表示される。
【００３３】
出力部１８は、通信部１１によって表示方法の変更の要求を端末装置２０から受信したか否かを判定し（ステップＳ１５）、受信した場合に、変更後の表示方法に応じた出力データを生成し、通信部１１を介して端末装置２０に送信し（ステップＳ１６）、ステップＳ１７に移行する。一方、表示方法の変更要求を受信していないと判定した場合、出力部１８は、通信部１１から終了の指示を受信したか否かを判定し（ステップＳ１７）、終了の指示を受信していなければステップＳ１４に移行し、受信している場合には処理を終了する。
【００３４】
次に、他の実施形態として、第２の集計方法について説明する。この実施形態においては、コメントデータを基に、評価項目ボックス内に集計結果を表示する場合について説明する。
図１３は、評価項目の詳細な集計結果を表示する場合について説明する図である。集計部１７は、‘ｐｏｓｉｔｉｖｅ’の評価値が付されていて、かつ、同じコメントデータが付された評価結果を評価項目毎に集計する。ここでは、例えば、旅館Ａの評価項目「部屋」について、‘ｐｏｓｉｔｉｖｅ’の評価値が設定されており、かつ、コメントデータ「綺麗」が設定された評価値の数を集計した場合、その評価値は「＋４」である。そして、評価項目ボックスｃ内について、上下横割りの線を中心軸ｂとし、この中心軸から上側（ｐｏｓｉｔｉｖｅ側）に、評価値の合計値に応じた距離の位置にコメントデータ「綺麗」を表示するとともに、そのコメントデータと中心位置を同じとする楕円を表示する。このとき、出力部１８は、コメントデータ（評価コメントラベル）の文字の大きさと楕円（評価属性楕円）を、コメントデータを評価結果とした人数に応じた大きさになるように表示する。ここでは、楕円は、評価属性のポジティブを暖色系、ネガティブを寒色系、ニュートラルを暖色と寒色の中間色として色を付して表示することが可能である。
【００３５】
図１４は、第２の集計方法において評価値を集計して表示した場合について説明する図である。集計部１７は、‘ｐｏｓｉｔｉｖｅ’を評価値として設定した評価結果の集計を評価項目毎に行う。ここでは、一例として、旅館Ａに「部屋」について評価値‘ｐｏｓｉｔｉｖｅ’が設定された評価結果を集計し、その集計結果が「＋１３」、‘ｎｅｕｔｒａｌ’が「０」、‘ｎｅｇａｔｉｖｅ’が「−１２」であった場合、これらの総和を計算する。この計算結果「＋１」を基に、を基に、集計部１７は集計結果を表示する。
ここでは、単に総和のみで表示すると、「＋１」となってしまうが、この評価項目がクリックされると、図１３において説明したような、その評価項目における詳細な集計結果として、コメントデータ毎の集計結果が表示される。これにより、通常、評価結果を平均値等によって表現した場合、その詳細な内訳が把握できないが、この実施形態によれば、評価の分布を把握することができ、また、その内容を言葉で表現でき、ニュアンスを把握することが可能となる。
【００３６】
次に、他の実施形態として、第３の集計方法について説明する。この実施形態においては、評価値の評価者数の総和を評価値として表示する場合について説明する。
図１５は、評価値の評価者数の総和を評価値として表示する場合について説明する図である。集計部１７は、旅館Ａの評価項目「部屋」について、評価値‘ｐｏｓｉｔｉｖｅ’、‘ｎｅａｕｔｒａｌ’、‘ｎｅｇａｔｉｖｅ’のそれぞれ評価者数の総和を評価値として計算する。出力部１８は、この計算結果を出力する。ここでは、評価項目ボックス内に、‘ｐｏｓｉｔｉｖｅ’の評価をした人数に応じた楕円が表示される。例えば、「部屋」については、‘ｐｏｓｉｔｉｖｅ’が１３人、‘ｎｅａｕｔｒａｌ’が２人、‘ｎｅｇａｔｉｖｅ’が１２人として表示されるが、「アメニティ」については、「部屋」の‘ｐｏｓｉｔｉｖｅ’の楕円よりも小さいが、‘ｐｏｓｉｔｉｖｅ’側にのみ楕円が表示される。このように、例えば、アメニティについては、評価人数が少ないが、‘ｐｏｓｉｔｉｖｅ’の評価をした評価者ばかりであることが把握できる。
このように、‘ｐｏｓｉｔｉｖｅ’、‘ｎｅａｕｔｒａｌ’、‘ｎｅｇａｔｉｖｅ’間における人数の対比結果を把握することができ、評価項目の比較の指標とすることが可能となる。
【００３７】
図１６は、図１５の集計結果において、評価項目における詳細な集計結果を表示した場合について説明する図である。ここでは、「部屋」の評価項目ボックスがクリックされると、出力部１８は、「部屋」の評価項目における詳細な集計結果をポップアップ画面で出力する。この場合、集計部１７は、「部屋」の評価項目において、同じコメントデータを付した評価人数の総和を算出し、出力部１８は、この総和に応じて評価項目ボックス内に算出結果を表示する。
【００３８】
図１７は、明確な評価項目がない場合であって、評価対象に対して評価を行う場合について説明する図である。評価項目がプルダウンメニューから選択されて評価値が入力されると、その評価項目毎に集計が行われるが、ここでは、評価項目が例えばテキストデータなどで入力された場合、そのテキストデータとともに評価値を入力してもらう。これにより、「部屋」や「食事」といった明確に分類された評価結果ではなく、評価対象そのものに‘ｐｏｓｉｔｉｖｅ’等の評価を行ってもらうことにより、漠然と評価対象に対して評価を行いたい場合に有効である。なお、この場合、「評価対象」を大きな「評価項目」として扱い、集計結果を表示する。
【００３９】
図１８は、評価対象そのもののグラフ化した場合について説明する図である。この図において、集計部１７は、評価対象における評価結果について、‘ｐｏｓｉｔｉｖｅ’、‘ｎｅａｕｔｒａｌ’、‘ｎｅｇａｔｉｖｅ’のそれぞれの評価値の総数を算出し、この算出結果に基づいて、集計部１７が、１つの評価対象の評価項目ボックス内に表示する。ここでは、‘ｐｏｓｉｔｉｖｅ’、‘ｎｅａｕｔｒａｌ’、‘ｎｅｇａｔｉｖｅ’のそれぞれの人数の分布が楕円によって表示されるので、その人数の分布を把握可能である。
【００４０】
図１９は、図１８の評価対象の集計結果を複数表示した場合の一例を示す図である。集計部１７は、集計部１７によって集計された結果を基に、各評価対象の人数の分布を表示するとともに、評価対象のそれぞれを評価項目ボックスとして表示する。これにより、‘ｐｏｓｉｔｉｖｅ’、‘ｎｅａｕｔｒａｌ’、‘ｎｅｇａｔｉｖｅ’の分布を把握しつつ、評価対象同士を比較することが可能となる。なお、ここでは、評価人数が多い評価対象が左側に表示され、評価人数が少ない評価対象について右側となるように表示される。
【００４１】
図２０は、上述の表示方法を変更して表示する場合について説明する図である。この図において、各評価対象について表示を行っている場合に、「ホテルＡ」がマウス等を介してクリックされると、出力部１８は、その「ホテルＡ」の評価項目についての集計結果をポップアップ表示する。ここでは、評価対象そのものに評価値が設定された場合（例えば図１７）であっても表示することが可能である。また、さらに、このポップアップ表示された画面において、評価項目ボックスがクリックされると、出力部１８は、そのクリックされた評価ボックスについて、コメントデータ毎の評価人数を詳細としてポップアップ表示によって出力する。
【００４２】
なお、以上説明した実施形態において、ブログや価格同士を比較するサイトのような評価情報を集約したサイトなどに記載されたユーザの声をクローリングによって収集し、その情報をテキストマイニングにより分解し、評価情報とする技術がある。これらの技術を利用して評価情報を生成し、上述の集計方法にて利用することにより、動的に評価項目を生成し、評価を言葉（抽出されたテキスト）で、評価値を文字や色範囲の大きさで表示すことができる。通常のグラフである場合、予め決められた評価項目による評価でなければ比較しづらいが （また、文章による評価の場合、明確に評価項目が定まってない場合もある）、上述の集計方法では、これらの問題を解消できる。また、詳細情報の表示により言葉によるニュアンス的な評価も実現可能である。
【００４３】
なお、上述した実施形態において、評価結果出力装置１０は、ネットワーク３０を介して端末装置２０に接続される場合について説明したが、評価結果出力装置１０と端末装置２０とを１つのコンピュータで実現するようにしてもよい。
【００４４】
また、図１における評価結果出力装置１０の機能を実現するためのプログラムをコンピュータ読み取り可能な記録媒体に記録して、この記録媒体に記録されたプログラムをコンピュータシステムに読み込ませ、実行することにより集計処理を行ってもよい。なお、ここでいう「コンピュータシステム」とは、ＯＳや周辺機器等のハードウェアを含むものとする。
【００４５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４６】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００４７】
【図１】この発明の一実施形態による評価結果出力システム１の構成を示す概略ブロック図である。
【図２】端末装置２０の表示画面に表示される評価結果を入力する入力画面の一例を示す図である。
【図３】記憶部１６に記憶される評価情報の一例を示す図である。
【図４】記憶部１６に記憶される評価情報の他の一例を示す図である。
【図５】出力部１８によって出力される表示画面の一例を示す図面である。
【図６】記憶部１６に記憶された評価情報を基に、集計部１７が集計を行った場合について説明する図面である。
【図７】図６の集計結果が画面上に出力された場合の一例を示す図面である。
【図８】１つの評価対象について総合評価を算出する場合について説明する図面である。
【図９】図８に示した評価対象の総合評価値を基に、複数の評価対象が評価対象ボックスｐ内に表示された場合の一例を示す図である。
【図１０】図９に示す評価項目ボックスの詳細な情報が表示された場合の一例を示す図面である。
【図１１】評価項目について、評価対象を比較して表示した場合における表示画面の一例の図である。
【図１２】図１の構成における評価結果出力装置の動作について説明するためのフローチャートである。
【図１３】評価項目の詳細な集計結果を表示する場合について説明する図である。
【図１４】第２の集計方法において評価値を集計して表示した場合について説明する図である。
【図１５】評価値の評価者数の総和を評価値として表示する場合について説明する図である。
【図１６】図１５の集計結果において、評価項目における詳細な集計結果を表示した場合について説明する図である。
【図１７】明確な評価項目がない場合であって、評価対象に対して評価を行う場合について説明する図である。
【図１８】評価対象そのもののグラフ化した場合について説明する図である。
【図１９】図１８の評価対象の集計結果を複数表示した場合の一例を示す図である。
【図２０】表示方法を変更して表示する場合について説明する図である。
【符号の説明】
【００４８】
１０  評価結果出力装置                          １１  通信部
１２  評価項目入力部                            １３  評価値入力部
１４  コメントデータ入力部                      １５  指示部
１６  記憶部                                    １７  集計部
１８  出力部                                    ２０  端末装置
【図１】
0005125281.tif 000002
【図２】
0005125281.tif 000003
【図３】
0005125281.tif 000004
【図４】
0005125281.tif 000005
【図５】
0005125281.tif 000006
【図６】
0005125281.tif 000007
【図７】
0005125281.tif 000008
【図８】
0005125281.tif 000009
【図９】
0005125281.tif 000010
【図１０】
0005125281.tif 000011
【図１１】
0005125281.tif 000012
【図１２】
0005125281.tif 000013
【図１３】
0005125281.tif 000014
【図１４】
0005125281.tif 000015
【図１５】
0005125281.tif 000016
【図１６】
0005125281.tif 000017
【図１７】
0005125281.tif 000018
【図１８】
0005125281.tif 000019
【図１９】
0005125281.tif 000020
【図２０】
0005125281.tif 000021